(57)【要約】【課題】より利便性の高い施設管制装置を提供する。【解決手段】一実施形態に係る施設管制装置は、設備の動作を監視する施設管制装置であって、前記設備で発生した事象を示す複数の稼働情報を取得する取得手段と、前記複数の稼働情報の中から入力に応じて１つの事象をトリガとして選択する第１の選択手段と、前記複数の稼働情報の中から入力に応じて事象を前記トリガに対応する判定項目として選択する第２の選択手段と、前記トリガとして選択された事象を示す稼働情報を取得した場合、前記トリガに対応付けられた判定項目の判定を実行する第１の判定手段と、前記判定により異常が発生したと判定された場合、異常が発生した旨を報知する報知手段と、を具備する。【選択図】      図１
2014142714.tif 000002
【特許請求の範囲】
【請求項１】
設備の動作を監視する施設管制装置であって、
前記設備で発生した事象を示す複数の稼働情報を取得する取得手段と、
前記複数の稼働情報の中から入力に応じて１つの事象をトリガとして選択する第１の選択手段と、
前記複数の稼働情報の中から入力に応じて事象を前記トリガに対応する判定項目として選択する第２の選択手段と、
前記トリガとして選択された事象を示す稼働情報を取得した場合、前記トリガに対応付けられた判定項目の判定を実行する第１の判定手段と、
前記判定により異常が発生したと判定された場合、異常が発生した旨を報知する報知手段と、
を具備する施設管制装置。
【請求項２】
前記報知手段は、前記判定項目の判定結果を示す画面を表示装置に表示させる、請求項１に記載の施設管制装置。
【請求項３】
前記報知手段は、前記判定項目が複数存在する場合、複数の判定項目の判定結果の組み合わせに応じた画面を表示装置に表示させる、請求項２に記載の施設管制装置。
【請求項４】
入力に応じて時刻を設定する時刻設定手段と、
前記複数の稼働情報の中から入力に応じて事象を前記時刻に対応する判定項目として選択する第３の選択手段と、
前記設定された時刻になった場合に前記時刻に対応付けられた判定項目の判定を実行する第２の判定手段と、
をさらに具備する請求項１に記載の施設管制装置。
【請求項５】
前記トリガとして選択された事象を示す稼働情報を取得した場合、前記トリガに対応付けられた判定項目に応じた事象が正常になるように前記設備の動作を制御する制御手段をさらに具備する請求項１に記載の施設管制装置。
【発明の詳細な説明】
【技術分野】
【０００１】
本発明の実施形態は、施設管制装置に関する。
【背景技術】
【０００２】
道路、またはトンネルなどの施設の各種の設備を監視する施設管制システムが一般的に実用化されている。施設管制システムは、中央監視装置（施設管制装置）を備える。中央監視装置は、施設の各種の設備を制御し稼働状況などの状態を収集する監視制御装置から情報を取得し、取得した情報に基づいて種々の判定を行う。これにより、中央監視装置は、施設の各種の設備が正常に動作しているか否か判断することができる。
【先行技術文献】
【特許文献】
【０００３】
【特許文献１】特開２００５−０５０１１０号公報
【発明の概要】
【発明が解決しようとする課題】
【０００４】
中央監視装置や監視制御装置は、予め設定された事象が発生したことを示す情報が監視制御装置から供給された場合、予め設定された複数の項目（連動判定項目）を判定する。しかし、連動判定項目をよりフレキシブルに変更したいという要望がある。
【０００５】
本発明の目的は、より利便性の高い施設管制装置を提供することである。
【課題を解決するための手段】
【０００６】
一実施形態に係る施設管制装置は、設備の動作を監視する施設管制装置であって、前記設備で発生した事象を示す複数の稼働情報を取得する取得手段と、前記複数の稼働情報の中から入力に応じて１つの事象をトリガとして選択する第１の選択手段と、前記複数の稼働情報の中から入力に応じて事象を前記トリガに対応する判定項目として選択する第２の選択手段と、前記トリガとして選択された事象を示す稼働情報を取得した場合、前記トリガに対応付けられた判定項目の判定を実行する第１の判定手段と、前記判定により異常が発生したと判定された場合、異常が発生した旨を報知する報知手段と、を具備する。
【図面の簡単な説明】
【０００７】
【図１】図１は、一実施形態に係る施設管制装置について説明する為の図である。
【図２】図２は、一実施形態に係る施設管制装置について説明する為の図である。
【図３】図３は、一実施形態に係る施設管制装置について説明する為の図である。
【図４】図４は、一実施形態に係る施設管制装置について説明する為の図である。
【図５】図５は、一実施形態に係る施設管制装置について説明する為の図である。
【図６】図６は、一実施形態に係る施設管制装置について説明する為の図である。
【図７】図７は、一実施形態に係る施設管制装置について説明する為の図である。
【図８】図８は、一実施形態に係る施設管制装置について説明する為の図である。
【図９】図９は、一実施形態に係る施設管制装置について説明する為の図である。
【発明を実施するための形態】
【０００８】
以下、図を参照しながら、一実施形態に係る施設管制装置について詳細に説明する。  
図１は、施設管制システム１の例を示す。  
施設管制システム１は、中央監視装置（施設管制装置）１０を備える。
【０００９】
中央監視装置１０は、監視制御装置２０から供給された情報に基づいて、監視制御装置２０が制御する施設（例えばトンネルなど）内の各設備の運転状況などを認識する。
【００１０】
監視制御装置２０は、施設内の各設備、例えば換気設備２１、照明設備２２、非常用設備２３、または他の設備などの動作を制御する。また、監視制御装置２０は、これらの各設備の動作状況を収集する。これにより、監視制御装置２０は、各設備の動作状況を示す情報（稼働情報）を生成する。監視制御装置２０は、稼働情報を中央監視装置１０に供給する。
【００１１】
図２は、中央監視装置１０の例を示す。  
なお、中央監視装置１０は、中央監視装置１０の各モジュールの動作を制御するＣＰＵ、ＲＯＭ、ＲＡＭ、及び不揮発性メモリなどを備えている。ＣＰＵは、種々の演算処理を実行する演算素子などを備える。ＣＰＵは、ＲＯＭ、または不揮発性メモリなどに記憶されているプログラムを実行することにより種々の機能を実現する。
【００１２】
ＲＯＭは、中央監視装置１０を制御する為のプログラム、及び各種の機能を実現する為のプログラムなどを記憶する。ＣＰＵは、ＲＯＭに記憶されているプログラムを起動することにより、各モジュールの動作を制御する。ＲＡＭは、ＣＰＵのワークメモリとして機能する。即ち、ＲＡＭは、ＣＰＵの演算結果、ＣＰＵにより読み込まれたデータなどを記憶する。不揮発性メモリは、各種の設定情報、及びプログラムなどを記憶する不揮発性メモリである。
【００１３】
中央監視装置１０のＣＰＵは、ＲＯＭ、または不揮発性メモリなどに記憶されているプログラムを実行することにより、種々の処理を実行する為のモジュールを実現することができる。
【００１４】
また、中央監視装置１０は、１つまたは複数のユーザインタフェース１１と接続されている。ユーザインタフェース１１は、例えば表示装置１２、及び入力装置１３などを備える。
【００１５】
表示装置１２は、例えば、マトリクス状に配列された複数の画素を備える液晶表示パネルと、この液晶パネルを照明するバックライトとを備える液晶表示装置などである。表示装置１２は、中央監視装置１０により生成された画面を表示することができる。
【００１６】
入力装置１３は、係員による操作入力に応じて操作信号を生成する入力装置である。入力装置１３は、例えば、操作キー、またはタッチパッドなどを備える。また、入力装置１３は、キーボード、マウス、または操作信号を生成する事ができる他の入力装置などから操作信号を受け取る構成であってもよい。入力装置１３は、操作信号を中央監視装置１０に供給する。
【００１７】
中央監視装置１０は、監視制御装置２０から供給された稼働情報に基づいて種々の判定を行う。また、中央監視装置１０は、判定の結果に基づいて、種々の情報（ガイダンス画面）を生成することができる。中央監視装置１０は、生成したガイダンス画面をユーザインタフェース１１の表示装置１２に表示させることができる。
【００１８】
またさらに、中央監視装置１０は、ユーザインタフェース１１の入力装置１３から供給された操作信号に基づいて、種々の処理を実行することができる。例えば、中央監視装置１０は、操作信号に基づいて、判定結果をより詳しく表示する為のガイダンス画面などを表示装置１２に表示させることができる。また、中央監視装置１０は、操作信号に基づいて、後述する連動判定の判定項目を変更することができる。
【００１９】
中央監視装置１０は、監視制御装置２０から供給された稼働情報を履歴（メッセージ履歴）としてＲＡＭまたは不揮発性メモリに記憶することができる。さらに、中央監視装置１０は、メッセージ履歴と操作信号とに基づいて、連動判定を行うための項目（連動判定項目）を設定することができる。
【００２０】
中央監視装置１０は、メッセージ履歴に基づいて、図３に示すような設定画面を表示装置１２に表示させることができる。図３の設定画面は、トリガを設定する為の選択メニュー、判定項目を設定する為の選択メニュー、及びメッセージ履歴の内容の表示を含む。
【００２１】
例えば、監視制御装置２０が監視する設備において、受電盤の扉が開かれ、自動調光装置の全灯がＯＮされ、道路照明の全灯がＯＮされ、受電盤の扉が閉じられた場合、監視制御装置２０は、それぞれの事象を示す稼働情報を生成し、中央監視装置１０に送信する。即ち、監視制御装置２０は、「受電盤  扉  開」、「自動調光装置  全灯  入」、「道路照明  全灯  入」、及び「受電盤  扉  閉」などの稼働情報を中央監視装置１０に送信する。
【００２２】
中央監視装置１０は、受信した稼働情報（即ちメッセージ履歴）毎に、メッセージ履歴が示す事象をトリガとして設定するか否かを選択させる為のメニューと、メッセージ履歴が示す事象を判定項目として設定するか否かを選択させる為のメニューと、を設定画面に表示する。
【００２３】
中央監視装置１０は、設定画面上での選択に応じて、連動判定を行うためのトリガと、連動判定の判定項目とを設定する。即ち、中央監視装置１０は、連動判定のトリガとなる事象と、トリガとして設定された事象が監視制御装置２０から報告された場合に実行する連動判定の判定項目を設定することができる。より具体的には、中央監視装置１０は、連動判定のトリガとなる事象に連動判定の判定項目を対応付けて設定情報として記憶する。
【００２４】
図３の例では、「自動調光装置  全灯  入」がトリガとして設定されている。また、「道路照明  全灯  入」が判定項目として設定されている。即ち、中央監視装置１０は、監視制御装置２０から自動調光装置の全灯がＯＮされたことを示す稼働情報が入力された場合、道路照明の全灯がＯＮされたか否か判定する。即ち、中央監視装置１０は、自動調光装置の全灯がＯＮされたか否かと、道路照明の全灯がＯＮされたか否かとを連動して判定することができる。
【００２５】
上記したように、中央監視装置１０は、連動判定のトリガ、及び連動判定で判定に用いる判定項目を選択に応じて任意で設定することができる。なお、判定項目の選択は、履歴からの選択に限らず、任意にて中央監視装置１０が保持する項目一覧から必要な項目を追加することも可能とする。これにより、中央監視装置１０は、連動判定のトリガ、及び連動判定で判定に用いる判定項目をフレキシブルに変更することができる。
【００２６】
図４は、連動判定を実行する場合の中央監視装置１０の処理の例を示す。なおここでは、図３に示されたように連動判定が設定されているとする。
【００２７】
中央監視装置１０は、監視制御装置２０から自動調光装置の全灯がＯＮされたことを示す稼働情報が入力されるのを待つ（ステップＳ１１）。即ち、中央監視装置１０は、連動判定のトリガとして設定されている事象が監視制御装置２０から報告されるのを待つ。
【００２８】
自動調光装置の全灯がＯＮされたことを示す稼働情報が入力された場合、中央監視装置１０は、道路照明の全灯がＯＮされたか否か判定する（ステップＳ１２）。即ち、中央監視装置１０は、連動判定のトリガとして設定されている事象が監視制御装置２０から報告された場合に、このトリガに対応付けられている判定項目の判定を実行する。
【００２９】
中央監視装置１０は、ステップＳ１２での判定結果に応じて異常であるか正常であるかを判定する。即ち、中央監視装置１０は、ステップＳ１２で道路照明の全灯がＯＮされたと判定されなかった場合、異常であると判定する（ステップＳ１３）。この場合、中央監視装置１０は、予め設定されたガイダンス画面を表示装置１２に表示させる（ステップＳ１４）。また、連動判定の全体の判定結果を画面上やメッセージ履歴などにより係員に通知する。なお、ユーザインタフェース１１が音声を出力するモジュールを備えている場合、中央監視装置１０は、さらに警告音などを出力させてもよい。
【００３０】
また、中央監視装置１０は、ステップＳ１２で道路照明の全灯がＯＮされたと判定された場合、正常であると判定する（ステップＳ１５）。この場合、中央監視装置１０は、ガイダンス画面などの表示を行わずに処理を終了する。また、連動判定の全体の判定結果を画面上やメッセージ履歴などにより係員に通知する。
【００３１】
このように、中央監視装置（施設管制装置）１０は、監視制御装置２０の監視下の設備で発生した事象を示す複数の稼働情報を取得する。さらに、中央監視装置１０は、取得した複数の稼働情報の中から入力に応じた１つの事象をトリガとして選択する。さらに、中央監視装置１０は、取得した複数の稼働情報の中から入力に応じた事象をトリガに対応する判定項目として選択する。これにより、中央監視装置１０は、連動判定の設定を作成する。またさらに、中央監視装置１０は、トリガとして選択された事象を示す稼働情報を取得した場合、トリガに対応付けられた判定項目の判定を実行する。中央監視装置１０は、この判定により異常が発生したと判定された場合、異常が発生した旨を報知する。
【００３２】
図５は、ガイダンス画面５１の例を示す。  
ガイダンス画面５１は、トリガに相当する事象を示す表示欄５２と、このトリガに対応付けられた判定項目に相当する事象を示す表示欄５３及び５４を示す。なお、この例では、「自動調光装置  全灯  入」がトリガとして設定され、「道路照明Ａ  全灯  入」及び「道路照明Ｂ  全灯  入」が判定項目として設定されているとする。
【００３３】
この場合、中央監視装置１０は、表示欄５２に「自動調光装置  全灯  入」を表示させる。また、中央監視装置１０は、表示欄５３に「道路照明Ａ  全灯  入」を表示させる。また、中央監視装置１０は、表示欄５４に「道路照明Ｂ  全灯  入」を表示させる。このように、中央監視装置１０は、トリガに対応付けられている判定項目の一覧をガイダンス画面として表示装置１２に表示させることができる。
【００３４】
さらに、中央監視装置１０は、連動判定の各判定項目の判定結果を表示させる為の選択メニュー５５をガイダンス画面５１に表示させる。中央監視装置１０は、ガイダンス画面５１上で選択メニュー５５が選択された場合、図６に示すように、各判定項目の判定結果を表示する為のウィンドウ６１をガイダンス画面５１上に表示させる。
【００３５】
ウィンドウ６１は、総合的な判定の結果、即ち連動判定の全体の判定結果、及び各判定項目の判定結果などの表示を含む。即ち、中央監視装置１０は、ウィンドウ６１を表示させることにより、連動判定での各判定結果を個別に表示させることができる。これにより、中央監視装置１０は、ユーザインタフェース１１を操作する係員に連動判定の中の全ての判定項目の判定結果を認識させることができる。
【００３６】
施設管制システム１では、トンネル火災などの重要事象が発生した場合、この事象及びこの事象に関連して起こりうる事象を係員に認識させる必要がある。上記した構成の中央監視装置１０は、ある事象が発生した場合に予め対応付けられた判定項目を自動的に判定し、異常がある場合に判定結果を表示装置１２に表示させることができる。これにより、中央監視装置１０は、複数の事象が発生する可能性がある場合であっても、必要な情報を係員に認識させることができる。
【００３７】
さらに、中央監視装置１０は、監視制御装置２０において発生した事象の履歴と、操作とに基づいて、連動判定のトリガと判定項目とを対応付けて設定することができる。これにより、中央監視装置１０は、連動判定のトリガ、及び連動判定で判定に用いる判定項目をフレキシブルに設定することができる。この結果、より利便性の高い施設管制装置を提供することができる。
【００３８】
なお、中央監視装置１０は、操作入力に応じて図３の設定画面を表示装置１２に表示させる。さらに、中央監視装置１０は、操作入力により指定された日付、時間帯、曜日、または他の情報に基づいてメッセージ履歴を絞り込み、絞り込んだメッセージ履歴を設定画面に表示させる構成であってもよい。
【００３９】
また、中央監視装置１０は、連動判定の各判定項目に対応したマクロ制御設定に基づいて、監視制御装置２０に制御信号を送信する構成であってもよい。
【００４０】
例えば、監視制御装置２０の監視下に火災報知器、及び換気設備が存在するとする。さらに、火災報知機による火災の検知がトリガとして設定され、このトリガに換気設備がＯＮされていることを確認する為の判定項目が設定されているとする。
【００４１】
さらに、中央監視装置１０は、火災報知機により火災が検知され、且つ換気設備がＯＮされていない場合にこの換気設備をＯＮさせる制御信号を監視制御装置２０に送信する為の設定（マクロ制御設定）が設定されているとする。
【００４２】
例えば、火災報知機により火災が検知された場合、中央監視装置１０は、換気設備がＯＮされているか否かを判定する。ここで換気設備がＯＮされていないと判定した場合、中央監視装置１０は、換気設備がＯＮされていないことを示すガイダンス画面を表示するのではなく、換気設備をＯＮする為の制御信号を監視制御装置２０に送信する。監視制御装置２０は、換気設備をＯＮする為の制御信号が中央監視装置１０から供給された場合、監視下の換気設備を運転するように制御する。
【００４３】
また、中央監視装置１０は、自動的に制御信号を監視制御装置２０に送信するのではなく、連動判定結果を表示させ、入力に応じて連動判定に対応した複数の設備を制御する為の複数の制御信号を監視制御装置２０に送信する構成であってもよい。
【００４４】
上記したように、中央監視装置１０は、予め連動判定の各判定項目に対応するように設定されたマクロ制御設定に基づいて、監視制御装置２０に制御信号を送信することができる。即ち、中央監視装置１０は、連動判定で異常と判定された判定項目が正常と判定される状態になるように監視制御装置２０に制御信号を送信することができる。これにより、中央監視装置１０は、より確実に重要な設備の稼働状況を監視することができる。
【００４５】
図７は、マクロ制御設定を設定する為の処理の例を示す。  
中央監視装置１０は、操作に応じて、連動判定項目のセットを選択する（ステップＳ２１）。例えば、中央監視装置１０は、操作に応じて、１つのトリガを選択し、選択したトリガに対応付けられている判定項目を読みだす。これにより、中央監視装置１０は、トリガに対応付けられた判定項目の数を認識する（ステップＳ２２）。
【００４６】
中央監視装置１０は、読みだした判定項目のうちの１つを選択する（ステップＳ２３）。中央監視装置１０は、選択した判定項目に対応する制御が可能であるか否か判断する（ステップＳ２４）。即ち、中央監視装置１０は、選択した判定項目に対応する事象を監視制御装置２０を介して制御することができるか否か判断する。なお、中央監視装置１０は、予め制御の可否を示す情報を事象毎にＲＡＭまたは不揮発性メモリに記憶する。中央監視装置１０は、制御の可否を示す情報に基づいて、選択した判定項目に対応する事象を監視制御装置２０を介して制御することができるか否か判断する。
【００４７】
ステップＳ２４で選択した判定項目に対応する事象を監視制御装置２０を介して制御することができると判定した場合、中央監視装置１０は、選択した判定項目に対応する制御（マクロ制御項目）を追加する（ステップＳ２５）。具体的には、中央監視装置１０は、ステップＳ２１で選択されたトリガに対応する事象が監視制御装置２０から報告された場合に、選択した判定項目に対応する制御を実行するようにマクロ制御設定を更新する。
【００４８】
中央監視装置１０は、ステップＳ２２で認識した数の判定項目についてステップＳ２３乃至ステップＳ２５の処理を実行したか否か判定する（ステップＳ２６）。まだステップＳ２３乃至ステップＳ２５の処理を実行していない判定項目が存在する場合、中央監視装置１０は、ステップＳ２３に移行し、まだ選択されていない判定項目を選択する。
【００４９】
ステップＳ２２で認識した数の判定項目についてステップＳ２３乃至ステップＳ２５の処理を実行したと判定した場合、中央監視装置１０は、マクロ制御設定を設定する為の処理を終了する。
【００５０】
上記したように、中央監視装置１０は、予め連動判定の各判定項目に対応するマクロ制御設定を自動的に生成することができる。これにより、中央監視装置１０は、連動判定で異常と判定された判定項目が正常と判定される状態になるように監視制御装置２０に制御信号を送信することができる。この結果、中央監視装置１０は、より確実に重要な設備の稼働状況を監視することができる。
【００５１】
また、上記した実施形態では、中央監視装置１０は、監視制御装置２０からのトリガとして設定された事象が報告された場合に連動判定を実行する構成であると説明したが、この構成に限定されない。中央監視装置１０は、予め設定された時刻に連動判定を実行する構成であってもよい。この場合、連動判定を行うための設定として、トリガの代わりとして時刻に判定項目が対応付けられて設定されている。
【００５２】
図８は、連動判定を実行する場合の中央監視装置１０の処理の他の例を示す。  
中央監視装置１０は、予め設定された時刻になるまで待機状態となる。中央監視装置１０は、ステップＳ３１で予め設定された時刻になったことを確認した場合、時刻に対応付けられた判定項目を確認する（ステップＳ３２）。即ち、中央監視装置１０は、連動判定の設定を参照し、時刻に対応付けられた判定項目を読みだす。
【００５３】
中央監視装置１０は、監視制御装置２０から供給された稼働情報に基づいて、読みだした判定項目の判定を実行する（ステップＳ３３）。即ち、中央監視装置１０は、予め設定された時刻になったことを確認した場合、時刻に対応付けられた判定項目の判定を実行する。
【００５４】
中央監視装置１０は、ステップＳ３３での判定結果に応じて異常であるか正常であるかを判定する。即ち、中央監視装置１０は、ステップＳ３３での判定結果が異常であった場合、連動判定の判定結果を異常と判定する（ステップＳ３４）。この場合、中央監視装置１０は、予め設定されたガイダンス画面を表示装置１２に表示させる（ステップＳ３５）。なお、表示させるのはガイダンス画面に限らず、連動判定異常の表示であったり、メッセージ履歴によって係員に通知できるものとする。
【００５５】
また、ステップＳ３３での判定結果が正常であると判定した場合、中央監視装置１０は、連動判定の判定結果を正常と判定する（ステップＳ３６）。この場合、中央監視装置１０は、ガイダンス画面などの表示を行わずに処理を終了する。なお、連動判定正常を画面上に表示させたりメッセージ履歴などにより係員に通知してもよい。
【００５６】
上記したような構成の中央監視装置１０は、入力に応じて時刻を設定する。さらに、中央監視装置１０は、監視制御装置２０から取得した複数の稼働情報の中から入力に応じて事象を時刻に対応する判定項目として選択する。中央監視装置１０は、設定された時刻になった場合にこの時刻に対応付けられた判定項目の判定を実行する。
【００５７】
さらに、中央監視装置１０は、判定結果で異常が検知されていた場合、ガイダンス画面を表示装置１２に表示させることができる。これにより、中央監視装置１０は、ユーザインタフェース１１を操作する係員に時刻に関連付けられた判定項目の判定結果を認識させることができる。
【００５８】
また、上記した実施形態では、中央監視装置１０は、連動判定において異常が検知された場合にガイダンス画面を表示装置１２に表示させる構成であると説明したが、この構成に限定されない。中央監視装置１０は、複数の判定項目の判定結果の組み合わせに応じたガイダンス画面を表示する構成であってもよい。
【００５９】
図９は、連動判定を実行する場合の中央監視装置１０の処理の他の例を示す。なお、この例では、「自動調光装置  全灯  入」がトリガとして設定され、「道路照明Ａ  全灯  入」及び「道路照明Ｂ  全灯  入」が判定項目として設定されているとする。
【００６０】
中央監視装置１０は、監視制御装置２０から自動調光装置の全灯がＯＮされたことを示す稼働情報が入力されるのを待つ（ステップＳ４１）。即ち、中央監視装置１０は、連動判定のトリガとして設定されている事象が監視制御装置２０から報告されるのを待つ。
【００６１】
自動調光装置の全灯がＯＮされたことを示す稼働情報が入力された場合、中央監視装置１０は、道路照明Ａの全灯がＯＮされたか否か判定する（ステップＳ４２）。即ち、中央監視装置１０は、連動判定のトリガとして設定されている事象が監視制御装置２０から報告された場合に、このトリガに対応付けられている判定項目の判定を実行する。
【００６２】
中央監視装置１０は、ステップＳ４２での判定結果に応じて異常であるか正常であるかを判定する。即ち、中央監視装置１０は、ステップＳ４２で道路照明Ａの全灯がＯＮされたと判定されなかった場合、異常であると判定する（ステップＳ４３）。この場合、中央監視装置１０は、予め設定された第１のガイダンス画面を表示装置１２に表示させる（ステップＳ４４）。なお、この第１のガイダンス画面は、自動調光装置の全灯がＯＮされたにも関わらず、道路照明Ａの全灯がＯＮされていないことを係員に認識させるための画面である。
【００６３】
ステップＳ４２で道路照明Ａの全灯がＯＮされたと判定された場合、中央監視装置１０は、正常であると判定する（ステップＳ４５）。中央監視装置１０は、さらに道路照明Ｂの全灯がＯＮされているか否か判定する（ステップＳ４６）。
【００６４】
ステップＳ４６で、道路照明Ｂの全灯がＯＮされていると判定した場合、中央監視装置１０は、正常であると判定する（ステップＳ４７）。この場合、中央監視装置１０は、予め設定された第２のガイダンス画面を表示装置１２に表示させる（ステップＳ４８）。なお、この第２のガイダンス画面は、自動調光装置の全灯がＯＮされ、道路照明Ａの全灯がＯＮされ、且つ道路照明Ｂの全灯がＯＮされたことを係員に認識させる為の画面である。なお、この場合、中央監視装置１０は、ガイダンス画面を表示させるのではなく、判定結果の通知のみ行う構成であってもよい。
【００６５】
またさらに、ステップＳ４６で、道路照明Ｂの全灯がＯＮされていないと判定した場合、中央監視装置１０は、異常であると判定する（ステップＳ４９）。この場合、中央監視装置１０は、予め設定された第３のガイダンス画面を表示装置１２に表示させる（ステップＳ５０）。なお、この第３のガイダンス画面は、自動調光装置の全灯がＯＮされ、道路照明Ａの全灯がＯＮされ、且つ道路照明Ｂの全灯がＯＮされてないことを係員に認識させる為の画面である。
【００６６】
上記したように、中央監視装置１０は、複数の判定項目の判定結果の組み合わせに応じて、それぞれの判定結果を係員に認識させることができるようなガイダンス画面を表示装置１２に表示させることができる。これにより、中央監視装置１０は、より簡易にユーザインタフェース１１を操作する係員に異常が発生している判定項目を認識させることができる。この結果、より利便性の高い施設管制装置を提供することができる。
【００６７】
なお、中央監視装置１０は、連動判定を設定する際に、ガイダンス画面を対応付けて設定する構成であってもよい。
【００６８】
なお、上述の各実施の形態で説明した機能は、ハードウエアを用いて構成するに留まらず、ソフトウエアを用いて各機能を記載したプログラムをコンピュータに読み込ませて実現することもできる。また、各機能は、適宜ソフトウエア、ハードウエアのいずれかを選択して構成するものであっても良い。
【００６９】
なお、本発明は上記実施形態そのままに限定されるものではなく、実施段階ではその要旨を逸脱しない範囲で構成要素を変形して具体化できる。また、上記実施形態に開示されている複数の構成要素の適宜な組み合せにより種々の発明を形成できる。例えば、実施形態に示される全構成要素から幾つかの構成要素を削除してもよい。更に、異なる実施形態に亘る構成要素を適宜組み合せてもよい。
【符号の説明】
【００７０】
１…施設管制システム、１０…中央監視装置、１１…ユーザインタフェース、１２…表示装置、１３…入力装置、２０…監視制御装置、２１…換気設備、２２…照明設備、２３…非常用設備。
【図１】
2014142714.tif 000003
【図２】
2014142714.tif 000004
【図３】
2014142714.tif 000005
【図４】
2014142714.tif 000006
【図５】
2014142714.tif 000007
【図６】
2014142714.tif 000008
【図７】
2014142714.tif 000009
【図８】
2014142714.tif 000010
【図９】
2014142714.tif 000011